(57)【要約】【課題】Ｃ／Ｎの値と入力信号電界強度の値をアンテナレベル計算に使用することで、その受信環境が優良か否かの指標に使用する。【解決手段】受信装置１００は、放送信号をＡＧＣ部１０１に入力し、検波部１０２に送る信号を適正な一定レベルに保つ。検波部１０２で信号を抽出した信号は、復調部１０３に送られ復調される。その後は、映像音声処理部へ送られる。また、復調部１０３では、Ｃ／Ｎ計算部１０３ＡによってＣ／Ｎを計算する。マイコン１０４では、ＡＧＣ部制御部１０４ＡにてＡＧＣの制御、入力信号電界強度の計算を行い、アンテナレベル計算部１０４Ｂで、測定したＣ／Ｎ値と入力電界強度からアンテナレベルを計算する。表示部１０５では、アンテナレベルをユーザに表示する。これにより、ユーザは現在の受信環境に関して、アンテナレベルを見ることで瞬時に優良環境か否かを判断することが可能となる。【選択図】図１
2006339812.tif 000002
【特許請求の範囲】
【請求項１】
放送信号を受信することができ、受信した信号を入力することで復調することができる受信装置において、受信した信号の搬送波電力と雑音電力の比（以下Ｃ／Ｎ）と受信した信号の電界強度を判断する機能を有し、それらから単一のアンテナレベルを計算する機能を有することを特徴とする受信装置。
【請求項２】
放送信号を受信することができ、受信した信号を入力することで復調することができる受信装置において、受信した信号中のビットエラーの比であるビットエラーレート（以下ＢＥＲ）と受信した信号の電界強度を判断する機能を有し、それらから単一のアンテナレベルを計算する機能を有することを特徴とする受信装置。
【請求項３】
請求項１又は請求項２に記載の受信装置において、受信した信号のＣ／Ｎ、ＢＥＲと電界強度を判断する機能を有し、それらから単一のアンテナレベルを計算する機能を有することを特徴とする受信装置。
【請求項４】
請求項１乃至３のいずれかに記載の受信装置において、計算した単一のアンテナレベルを表示する機能を有することを特徴とする受信装置。
【請求項５】
請求項１乃至４のいずれかに記載の受信装置において、受信した信号の電界強度を判断する基準として、受信装置のオートゲインコントロール（以下ＡＧＣ）を使用することを特徴とする受信装置。
【発明の詳細な説明】
【技術分野】
【０００１】
本発明は、受信状態に関する指標を計算する受信装置、より詳細には、優良な受信環境を判断する指標としてのアンテナレベルを計算する機能を有する受信装置に関する。
【背景技術】
【０００２】
放送信号を受信する受信装置において、ユーザが受信している放送信号の状態を知ることは、アンテナの設置などの際に必要である。ユーザがその放送信号の状態を容易に知ることが可能な方法として、信号状態を数値化して表すことが考えられる。その際に、数値化できる要素として、信号搬送波電力と雑音電力の比であるＣ／Ｎや、信号の電界強度が挙げられる。優良な受信環境を確保するためには、Ｃ／Ｎと電界強度の双方において一定値を確保する必要があり、これらをユーザに表示する必要がある。
【０００３】
図７は、特開２００２−３５３８２７号公報（特許文献１）に記載された、受信装置（従来技術１）のブロック図で、該受信装置はＣ／Ｎと電界強度に関して同時に表示するようにしたもので、受信装置７００は、放送信号をＡＧＣ部７０１に入力し、検波部７０２に送る信号を適正な一定レベルに保つ。検波部７０２で信号を抽出した信号は、復調部７０３に送られて復調され、その後は、映像音声処理部へ送られる。また、復調部の中のＣ／Ｎ計算部７０３Ａにて、Ｃ／Ｎの値が計算され、そのデータがマイコン７０４に送られる。
【０００４】
マイコン７０４には、以下の機能がある。
・復調部７０３での入力信号の変化によって、ＡＧＣ制御部７０４Ａで制御を行う
・ＡＧＣ制御部７０４ＡでのＡＧＣ制御から入力信号電界強度を計算する。
表示部７０５では、Ｃ／Ｎと入力信号の電界強度をユーザに表示することができる（７０５Ａおよび７０５Ｂ）。
これらＣ／Ｎ表示部７０５Ａと電界強度表示部７０５Ｂの表示より、ユーザは現在の受信環境に関して、Ｃ／Ｎが悪いのか、電界強度が悪いのかを判断することができる。
【０００５】
また、放送信号の状態を知る方法として、受信した信号中のビットエラーの比であるビットエラーレート（ＢＥＲ）とＣ／Ｎを併用する方法も考えられる。受信した信号中のＢＥＲを使用することで、受信環境に関してより正確に把握することが可能となる。これを従来例２とする。
【０００６】
図８は、特開２００５−６０６５号公報（特許文献２）における受信装置（従来技術２）のブロック図を表し、受信装置８００は、放送信号をＡＧＣ部８０１に入力し、検波部８０２に送る信号を適正な一定レベルに保つ。検波部８０２で信号を抽出した信号は、復調部８０３に送られ復調される。その後は、映像音声処理部へ送られる。また、復調部の中のＣ／Ｎ計算部８０３ＡでＣ／Ｎの値が、ＢＥＲ計算部８０３ＢでＢＥＲが計算され、そのデータがマイコンに送られる。
【０００７】
マイコン８０４には、以下の機能がある。
・復調部８０３での入力信号の変化によって、ＡＧＣ制御部８０４Ａで制御を行う
・ＡＧＣ制御部８０４ＡでのＡＧＣ制御から入力信号電界強度を計算する
・アンテナレベル計算部８０４Ｂで、測定したＣ／Ｎ値とＢＥＲからアンテナレベルを計算する
表示部８０５では、アンテナレベル表示部８０５Ａにてアンテナレベルをユーザに表示する。
これにより、ユーザは現在の受信環境に関して、アンテナレベルを見ることで瞬時に優良環境か否かを判断することが可能となる。
【０００８】
図９は、前記従来技術２におけるアンテナレベル計算部８０４Ｂのフローチャートの一例を説明するための図で、まず、復調部８０３のＣ／Ｎ計算部８０３Ａで計算したＣ／Ｎと、ＢＥＲ計算部８０３Ｂで計算したＢＥＲを読み込む（Ｓ９０１）。その後、ＢＥＲが基準値以上かどうかを判断し（Ｓ９０２）、基準値以上であればＢＥＲ値によりアンテナレベルを計算する（Ｓ９０３）。基準値未満であれば、Ｃ／Ｎ値によりアンテナレベルを計算する（Ｓ９０４）。そして、計算したアンテナレベル値を出力する（Ｓ９０５）。
【特許文献１】特開２００２−３５３８２７号公報
【特許文献２】特開２００５−６０６５号公報
【発明の開示】
【発明が解決しようとする課題】
【０００９】
しかし、従来技術１の場合には、Ｃ／Ｎと電界強度を同時に表示した場合に、片方の値が基準値を満たしていない場合には、受信環境が悪いとして表示される。しかし、実際には、Ｃ／Ｎが十分に確保されている場合には、電界強度が基準値を若干満たしていない場合でも、正常に受信可能であり、正常な環境であるといえる。
【００１０】
本発明では、電界強度とＣ／Ｎを含めた総合的なアンテナレベルという一意の値を使用する。これにより、アンテナレベルが一定値を超えるか否かによって、その受信環境が優良か否かの指標とすることができる。
【００１１】
また、従来技術２の場合には、Ｃ／ＮとＢＥＲを併用することにより、実際の受信状態をより正確に表すことが可能である。しかし、電界強度が低い場合には、受信状態が不安定になりやすく、ある時点でＣ／ＮおよびＢＥＲが良好な場合においても、必ずしもその受信環境が良好であるとはいえない場合があった。
【課題を解決するための手段】
【００１２】
第１の受信装置は、放送信号を受信することができ、受信した信号を入力することで復調することができる受信装置において、受信した信号の搬送波電力と雑音電力の比（以下Ｃ／Ｎ）と受信した信号の電界強度を判断する機能を有し、それらから単一のアンテナレベルを計算する機能を有することを特徴とし、受信信号を受信した受信装置が判断したＣ／Ｎと電界強度からアンテナレベルという一意の値を計算することで、現在の環境が優良か否かの指標とする。
【００１３】
第２の受信装置は、放送信号を受信することができ、受信した信号を入力することで復調することができる受信装置において、受信した信号中のビットエラーの比であるビットエラーレート（以下ＢＥＲ）と受信した信号の電界強度を判断する機能を有し、それらから単一のアンテナレベルを計算する機能を有することを特徴とし、デジタル信号中のエラービットの比を表したビットエラーレート（ＢＥＲ）を計算する機能から、ＢＥＲと電界強度の値を使用してアンテナレベルという一意の値を計算することで、受信装置の信号環境を把握する。
【００１４】
第１又は第２の受信装置において、受信した信号のＣ／Ｎ、ＢＥＲと電界強度を判断する機能を有し、それらから単一のアンテナレベルを計算する機能を有することを特徴とし、Ｃ／ＮおよびＢＥＲを計算する機能から、ＢＥＲとＣ／Ｎと電界強度の値を使用してアンテナレベルという一意の値を計算することで、受信装置の信号環境をより正確に把握する。
【００１５】
第１乃至第３のいずれかの受信装置において、計算した単一のアンテナレベルを表示する機能を有することを特徴とし、計算されたアンテナレベルを表示することで、現在の環境が優良か否かをユーザが瞬時に判断する。
【００１６】
第１乃至第４のいずれかの受信装置において、受信した信号の電界強度を判断する基準として、受信装置のオートゲインコントロール（以下ＡＧＣ）を使用することを特徴とし、受信した信号の電界強度を判断する手段として、ＡＧＣを使用することにより、入力信号の電界強度計算を動的に行う。
【発明の効果】
【００１７】
本発明による受信装置は、電界強度をアンテナレベルに含めることによって、電界強度が低く受信状態が不安定になりやすい場合において、アンテナレベルによって受信環境が良好でないことを示すことができる。
【００１８】
本発明による受信装置は、Ｃ／Ｎと入力信号電界強度を計算により、アンテナレベルという一意の値とすることで、受信環境の状態を優良か否かを判断することが可能となる。
【００１９】
また、ＢＥＲと入力信号電界強度を計算により、アンテナレベルという一意の値とすることで、受信環境の状態を優良か否かを判断することが可能となる。
【００２０】
また、Ｃ／ＮとＢＥＲと入力信号電界強度を計算により、アンテナレベルという一意の値とすることで、受信環境の状態を優良か否かをより正確に判断することが可能となる。
【００２１】
また、計算したアンテナレベルを表示することにより、ユーザが瞬時に現在の受信環境が優良か否かを判断することが可能となる。
【発明を実施するための最良の形態】
【００２２】
図１は、本発明による受信装置の一実施例を説明するためのブロック図で、受信装置１００は、放送信号をＡＧＣ部１０１に入力し、検波部１０２に送る信号を適正な一定レベルに保つ。検波部１０２で信号を抽出した信号は、復調部１０３に送られ復調される。その後は、映像音声処理部へ送られる。また、復調部の中のＣ／Ｎ計算部１０３Ａにて、Ｃ／Ｎの値が計算され、そのデータがマイコンに送られる。
【００２３】
マイコン１０４には、以下の機能がある。
・復調部１０３での入力信号の変化によって、ＡＧＣ制御部１０４Ａで制御を行う
・ＡＧＣ制御から入力信号電界強度を計算する
・アンテナレベル計算部１０４Ｂで、測定したＣ／Ｎ値と入力電界強度からアンテナレベルを計算する
表示部１０５では、アンテナレベルをユーザに表示することができる。これにより、ユーザは現在の受信環境に関して、アンテナレベルを見ることで瞬時に優良環境か否かを判断することが可能となる。
【００２４】
図２は、アンテナレベル計算部１０４Ｂのフローチャートの一例を示す図で、まず、復調部１０３のＣ／Ｎ計算部１０３Ａで計算したＣ／Ｎと、マイコン１０４のＡＧＣ制御部１０４Ａにて計算した入力信号電界強度を読み込む（Ｓ２０１）。その後、Ｃ／Ｎによりアンテナレベル（これをＣ／Ｎアンテナレベルとする）を計算する（Ｓ２０２）。そして、入力信号電界強度が基準値以上かどうかを判断し（Ｓ２０３）、基準値以上であれば、Ｃ／Ｎアンテナレベルをそのままアンテナレベルとする（Ｓ２０４）。電界強度が基準値未満の場合には、現在の入力電界強度と基準値の入力電界強度との差（これをＳｅとする）を計算し（Ｓ２０５）、アンテナレベルをＣ／ＮアンテナレベルとＳｅとの差とする（Ｓ２０６）。そして、計算したアンテナレベルを出力する（Ｓ２０７）。
【００２５】
図３は、本発明による受信装置の他の実施例を説明するためのブロック図で、図１に示した実施例との相違は、復調部３０３の中に、Ｃ／Ｎ計算部の代わりに、ビットエラーレート（ＢＥＲ）を計算するＢＥＲ計算部３０３Ｂが追加されており、ここでＢＥＲが計算されて、マイコン３０４にデータが送られる。そして、アンテナレベル計算部３０４Ｂにおいて、ＢＥＲと電界強度を含めたアンテナレベルが計算される。これにより、アンテナレベルにＢＥＲおよび電界強度の値を反映することができ、ユーザは現在の受信環境に関して、瞬時に優良環境か否かを判断することが可能となる。
【００２６】
図４は、図３に示した実施例のアンテナレベル計算部３０４Ｂのフローチャートの一例を示す図で、図２に示した実施例との相違は、Ｃ／Ｎ値の読込を行う（Ｓ２０１）代わりに、ＢＥＲの読込を行う点（Ｓ４０１）と、Ｃ／Ｎアンテナレベルを使用している部分（Ｓ２０２，Ｓ２０４，Ｓ２０５）において、ＢＥＲにより計算したアンテナレベル（これをＢＥＲアンテナレベルとする）を使用している点（Ｓ４０２，Ｓ４０４，Ｓ４０６）である。
【００２７】
図５は、本発明による受信装置の他の実施例を説明するためのブロック図で、図２に示した実施例及び図４に示した実施例との相違は、復調部５０３の中に、Ｃ／Ｎを計算するＣ／Ｎ計算部５０３Ａと、ビットエラーレート（ＢＥＲ）を計算するＢＥＲ計算部５０３Ｂが存在し、Ｃ／ＮおよびＢＥＲが計算されて、マイコン５０４にデータが送られる。そして、アンテナレベル計算部５０４Ｂにおいて、Ｃ／Ｎ、ＢＥＲと電界強度を含めたアンテナレベルが計算される。これにより、アンテナレベルにＣ／Ｎ、ＢＥＲと電界強度の値を反映することができ、ユーザは現在の受信環境に関して、より正確に優良環境か否かを判断することが可能となる。
【００２８】
図６は、図５に示した実施例のアンテナレベル計算部５０４Ｂのフローチャートの一例を説明するための図で、まず、復調部５０３のＣ／Ｎ計算部５０３Ａで計算したＣ／Ｎ、およびＢＥＲ計算部５０３Ｂで計算したＢＥＲと、マイコン５０４のＡＧＣ制御部５０４Ａにて計算した入力信号電界強度を読み込む（Ｓ６０１）。その後、ＢＥＲが基準値以上かどうかを判断し（Ｓ６０２）、基準値以上であればＢＥＲ値によりアンテナレベルを計算し、その値をアンテナレベルとする（Ｓ６０３）。基準値未満である場合には、Ｃ／Ｎによりアンテナレベル（これをＣ／Ｎアンテナレベルとする）を計算する（Ｓ６０４）。
【００２９】
そして、入力信号電界強度が基準値以上かどうかを判断し（Ｓ６０５）、基準値以上であれば、Ｃ／Ｎ（ＢＥＲ）アンテナレベルをそのままアンテナレベルとする（Ｓ６０６）。電界強度が基準値未満の場合には、現在の入力電界強度と基準値の入力電界強度との差（これをＳｅとする）を計算し（Ｓ６０７）、アンテナレベルをＣ／Ｎ（ＢＥＲ）アンテナレベルとＳｅとの差とする（Ｓ６０８）。そして、計算したアンテナレベルを出力する（Ｓ６０９）。
【００３０】
以上に、アンテナレベルを表示する機能を有している受信装置の例を挙げたが、表示する機能が無い場合においても、計算したアンテナレベルを受信装置内部での判断基準として使用することが可能である。
【図面の簡単な説明】
【００３１】
【図１】本発明の実施例１におけるブロック図である。
【図２】本発明の実施例１におけるアンテナレベル計算部のフローチャートである。
【図３】本発明の実施例２におけるブロック図である。
【図４】本発明の実施例２におけるアンテナレベル計算部のフローチャートである。
【図５】本発明の実施例２におけるブロック図である。
【図６】本発明の実施例２におけるアンテナレベル計算部のフローチャートである。
【図７】従来技術１のブロック図である。
【図８】従来技術２におけるブロック図である。
【図９】従来技術２におけるアンテナレベル計算部のフローチャートである。
【符号の説明】
【００３２】
１００，３００，５００，７００，８００…受信装置、１０１、３０１，５０１，７０１，８０１…ＡＧＣ部、１０２，３０２，５０２，７０２，８０２…検波部、１０３，３０３，５０３，７０３，８０３…復調部、１０３Ａ，５０３Ａ，７０３Ａ，８０３Ａ…Ｃ／Ｎ計算部、３０３Ｂ，５０３Ｂ，８０３Ｂ…ＢＥＲ計算部、１０４，３０４，５０４，７０４，８０４…マイコン、１０４Ａ，３０４Ａ，５０４Ａ，７０４Ａ，８０４Ａ…ＡＧＣ制御部、１０４Ｂ，３０４Ｂ，５０４Ｂ，８０４Ｂ…アンテナレベル計算部、１０５，３０５，５０５，７０５，８０５…表示部、１０５Ａ，３０５Ａ，５０５Ａ，８０５Ａ…アンテナレベル表示部、７０５Ａ…Ｃ／Ｎ表示部、７０５Ｂ…電界強度表示部。
【図１】
2006339812.tif 000003
【図２】
2006339812.tif 000004
【図３】
2006339812.tif 000005
【図４】
2006339812.tif 000006
【図５】
2006339812.tif 000007
【図６】
2006339812.tif 000008
【図７】
2006339812.tif 000009
【図８】
2006339812.tif 000010
【図９】
2006339812.tif 000011